(57)【要約】【課題】カラオケ装置を使用して歌唱を行っている人の撮影を可能としたカラオケプリントシステムにおいて、高画質の撮影・印刷画像を得ることができ、カメラの機動性が向上し、カメラの画角の制限を無くし、印刷しようとする画像の確認及び選別を可能としたカラオケプリントシステムを得る。【解決手段】カラオケ装置ＫＲＳを備えたカラオケルームＫＲ毎に準備され、そのカラオケルームＫＲ内で撮影した画像を無線で送信する無線通信手段を有するデジタルカメラＤＣと、各カラオケルームＫＲ内に配設された端末機であって、デジタルカメラと無線通信して画像を受信する無線通信手段及び受信した画像をプリントサーバに送信する通信手段を有する端末機ＩＭＳと、各カラオケルームＫＲ内の端末機ＩＭＳと接続され、その各端末機ＩＭＳから受信した画像の印刷をプリント手段ＰＲに実行させるプリントサーバＰＲＳとから構成される。【選択図】          図１
2004184668.tif 000002
【特許請求の範囲】
【請求項１】
カラオケ装置を備えたカラオケルーム毎に準備され、該カラオケルーム内で撮影した画像を無線で送信する無線通信手段を有するデジタルカメラと、
前記各カラオケルーム内に配設された端末機であって、前記デジタルカメラと無線通信して画像を受信する無線通信手段を有する端末機と、
前記各カラオケルーム内の前記端末機と接続され、該各端末機から受信した画像の印刷をプリント手段に実行させるプリントサーバと、
から構成されてなることを特徴とするカラオケプリントシステム。
【請求項２】
前記デジタルカメラは、前記カラオケルームの使用に先立って該各カラオケルーム内の前記カラオケ装置を操作するための遠隔制御器と共に利用者に貸し出され、チェックアウト時に前記遠隔制御器と共に返却されるものであることを特徴とする請求項１に記載のカラオケプリントシステム。
【請求項３】
前記端末機は、前記デジタルカメラから受信した画像を保管する画像保管手段と、該画像保管手段に保管された画像を表示する画像表示手段と、該画像表示手段に表示された画像のうちから所望の画像の選択及び印刷枚数を指示する指示手段とを有することを特徴とする請求項１に記載のカラオケプリントシステム。
【請求項４】
前記端末機は、前記デジタルカメラから受信した画像を保管する画像保管手段と、該画像保管手段に保管された画像を表示する画像表示手段とを有し、
前記カラオケルーム内の前記カラオケ装置を操作するための遠隔制御器は、前記画像表示手段に表示された画像のうちから所望の画像の選択及び印刷枚数を指示する指示手段として兼用されることを特徴とする請求項１に記載のカラオケプリントシステム。
【請求項５】
前記各端末機は、印刷依頼時に画像と共に前記カラオケルームの部屋情報及び印刷枚数を送信し、
前記プリントサーバは、前記プリント手段に前記受信した画像を印刷させると共に、該画像の印刷された印刷媒体の裏側に、前記カラオケルームの部屋情報及び撮影年月日を印刷させることを特徴とする請求項３又は４に記載のカラオケプリントシステム。
【請求項６】
前記各端末機と接続され、チェックアウト確認入力に基づき対応する前記カラオケルーム内の前記端末機の画像保管手段に保管された画像を消去する管理サーバを有することを特徴とする請求項１に記載のカラオケプリントシステム。
【請求項７】
前記管理サーバは、前記プリントサーバと接続され、チェックアウト確認入力に基づき前記プリントサーバから送信された印刷実績に基づいてプリント料金を計算することを特徴とする請求項６に記載のカラオケプリントシステム。
【請求項８】
前記カラオケルーム毎の前記デジタルカメラと前記端末機とは相互に識別情報を有し、
該識別情報が一致する機器同士のみで無線通信を行うことを特徴とする請求項１に記載のカラオケプリントシステム。
【発明の詳細な説明】
【０００１】
【発明の属する技術分野】
本発明は、カラオケプリントシステムに係り、特に、カラオケルーム内におけるデジタルカメラの撮影により得られた画像を、無線によって端末機に送信し、端末機が受信した画像を、プリントサーバに送信して、印刷を行わせるようにしたカラオケプリントシステムに関する。
【０００２】
【従来の技術】
特許文献１には、カラオケプリントシステムが記載され、そのシステムでは、カラオケ装置の他にビデオカメラ及びビデオプリンタを設け、ビデオカメラによって、歌唱を行っている人を撮影し、その撮影により得られた映像信号をビデオプリンタに供給して、その映像を印刷するようにしている。
【０００３】
特許文献２には、遠隔プリントシステムが記載され、そのシステムでは、複数のカラオケルームにそれぞれ歌唱用の音楽を演奏するカラオケ装置を設置し、その複数のカラオケ装置を同軸ケーブルを通じて、集中管理装置に接続する。そして、集中管理装置にはビデオプンリンタを設けると共に、各カラオケ装置には、テレビカメラと、リモコンの画像プリントキーとを設け、その画像プリントキーによって、印刷指示が入力されたとき、テレビカメラによって、印刷対象の映像を撮影し、その画像データを同軸ケーブルを介して集中管理装置へ送信し、その集中管理装置が各カラオケ装置から受信した画像データに基づく画像をビデオプリンタによって印刷するようにしている。
【０００４】
【特許文献１】
特開平６−２８２２８６号公報
【０００５】
【特許文献２】
特開平２０００−５９７２３号公報
【０００６】
【発明が解決しようとする課題】
特許文献１のカラオケプリントシステムでは、ビデオカメラ及びビデオプリンタを使用しているため、印刷された画像の画質はあまり良くない。又、ビデオカメラにはケーブルが接続されているため、ビデオカメラは機動性を欠き、しかも、画角が制限される。
【０００７】
特許文献２の遠隔プリントシステムでは、利用者が印刷しようとする画像の確認ができないために、印刷の無駄が生じ、そのため、課金のトラブルが発生するおそれがある。又、集中管理装置で、複数チャンネルのビデオ信号を信号処理する必要があるため、集中管理装置の規模が大きくなって、価格の上昇に繋がる。
【０００８】
かかる点に鑑み、本発明は、カラオケ装置を使用して歌唱を行っている人の撮影を可能としたカラオケプリントシステムにおいて、高画質の撮影・印刷画像を得ることができ、カメラの機動性が向上し、カメラの画角の制限を無くし、印刷しようとする画像の確認及び選別を可能としたカラオケプリントシステムを提案しようとするものである。
【０００９】
【課題を解決するための手段】
本発明は、カラオケ装置を備えたカラオケルーム毎に準備され、そのカラオケルーム内で撮影した画像を無線で送信する無線通信手段を有するデジタルカメラと、各カラオケルーム内に配設された端末機であって、デジタルカメラと無線通信して画像を受信する無線通信手段を有する端末機と、各カラオケルーム内の端末機と接続され、その各端末機から受信した画像の印刷をプリント手段に実行させるプリントサーバと、から構成されてなるカラオケプリントシステムである。
【００１０】
本発明のカラオケプリントシステムによれば、デジタルカメラが、カラオケ装置を備えたカラオケルーム毎に準備され、そのデジタルカメラは、その無線通信手段によって、カラオケルーム内で撮影した画像を無線で送信する。端末機が各カラオケルーム内に配設され、その端末機は、その無線通信手段によって、デジタルカメラと無線通信して画像を受信する。プリントサーバは、各カラオケルーム内の端末機と接続され、その各端末機から受信した画像の印刷をプリント手段に実行させる。
【００１１】
上述の本発明のカラオケプリントシステムにおいて、デジタルカメラは、カラオケルームの使用に先立ってその各カラオケルーム内のカラオケ装置を操作するための遠隔制御器と共に利用者に貸し出され、チェックアウト時に遠隔制御器と共に返却されるものであることが可能である。
【００１２】
上述の本発明のカラオケプリントシステムにおいて、端末機は、デジタルカメラから受信した画像を保管する画像保管手段と、その画像保管手段に保管された画像を表示する画像表示手段と、その画像表示手段に表示された画像のうちから所望の画像の選択及び印刷枚数を指示する指示手段とを有することが可能である。
【００１３】
上述の本発明のカラオケプリントシステムにおいて、端末機は、デジタルカメラから受信した画像を保管する画像保管手段と、その画像保管手段に保管された画像を表示する画像表示手段とを有することが可能であり、カラオケルーム内のカラオケ装置を操作するための遠隔制御器は、画像表示手段に表示された画像のうちから所望の画像の選択及び印刷枚数を指示する指示手段として兼用されることが可能である。
【００１４】
上述の本発明のカラオケプリントシステムにおいて、各端末機は、印刷依頼時に画像と共にカラオケルームの部屋情報及び印刷枚数を送信することが可能であり、プリントサーバは、プリント手段に、受信した画像を印刷させると共に、その画像の印刷された印刷媒体の裏側に、カラオケルームの部屋情報及び撮影年月日を印刷させることが可能である。
【００１５】
上述の本発明のカラオケプリントシステムにおいて、各端末機と接続され、チェックアウト確認入力に基づき対応するカラオケルーム内の端末機の画像保管手段に保管された画像を消去する管理サーバを設けることが可能である。
【００１６】
上述の本発明のカラオケプリントシステムにおいて、管理サーバは、プリントサーバと接続され、チェックアウト確認入力に基づきプリントサーバから送信された印刷実績に基づいてプリント料金を計算することが可能である。
【００１７】
上述の本発明のカラオケプリントシステムにおいて、カラオケルーム毎のデジタルカメラと端末機とは相互に識別情報を有し、その識別情報が一致する機器同士のみで無線通信を行うことが可能である。
【００１８】
【発明の実施の形態】
以下に、図面を参照して、本発明の実施の形態のカラオケプリントシステムの例を詳細に説明する。先ず、図１を参照して、このカラオケプリントシステムの概要を説明する。ＫＲはカラオケルームを示し、このカラオケルームＫＲは、実際には複数設けられており、その構成は実質的に同じである。
【００１９】
カラオケルームＫＲ内には、カラオケ装置ＫＲＳが設けられており、このカラオケ装置ＫＲＳは、制御信号で変調された赤外線、電波等を媒介として、遠隔制御器｛リモートコントローラ（所謂リモコン）｝ＲＣによって、選曲、音量等を制御するようにしている。カラオケ装置ＫＲＳは、周知の如く、放送又はディスクを媒介として、伴奏等の音楽を放声すると共に、歌詞及び画像を放映する画像／音声再生装置からなり、マイクよりの歌唱に基づく音声信号を画像／音声再生装置に供給して、歌唱と音楽とを混合して放声させるようにした周知の電子機器である。
【００２０】
ＤＣはデジタルカメラで、ＣＣＤ（電荷結合素子）等からなる撮像素子を備え、得られた画像データをメモリカード等の記憶手段に記憶するようにしたカメラである。このデジタルカメラＤＣは、無線通信手段を備えており、この無線通信手段によって、電波、赤外線等を、歌唱を行っている人の撮影によって得られた画像データで変調して、アンテナ、送信器等から送信するようにしている。
【００２１】
ＩＭＳは、端末機としての画像保管装置で、パーソナルコンピュータから構成されている。この画像保管装置ＩＭＳは、無線通信手段を備えており、この無線通信手段によって、デジタルカメラＤＣの無線通信手段から送信されて来た、画像データによって変調された電波、赤外線等を受信し、それを復調して、元の画像データを得るようにしている。
【００２２】
かくして、各カラオケルームＫＲ内においては、デジタルカメラＤＣ及び画像保管装置ＩＭＳにて、無線ＬＡＮ（ローカル・エリア・ネットワーク）が構成されている。
【００２３】
画像保管装置ＩＭＳは、受信した画像データを保管する、ハードディスク駆動装置、光ディスク駆動装置等の画像保管手段と、保管された画像データの画像を表示する、ＣＲＴ（陰極線管）、ＬＣＤ（液晶表示装置）等の画像表示手段、保管されている画像データの選択、選択された画像の印刷枚数等を指示する、キーボード、ポインティングデバイス（マウス等）等の指示手段等を備えている。尚、遠隔制御器ＲＣによって、保管されている画像データの選択、選択された画像の印刷枚数等を指示するようにしても良い。
【００２４】
このカラオケルームＫＲは、音響的及び電磁的にシールドされているものとする。但し、デジタルカメラ及び画像保管装置ＩＭＳ間の通信を、赤外線を使用して行う場合は、電磁的シールドは不要である。
【００２５】
尚、カラオケルームＫＲ毎のデジタルカメラＤＣと、画像保管装置ＩＭＳとを、相互に識別情報を有し、その識別情報が一致する機器同士のみで無線通信を行うようにするときは、カラオケルームＫＲ毎の電磁的シールドは不要である。
【００２６】
ＳＲはスタッフルームを示し、その中には、プリンタサーバ（パーソナルコンピュータから構成される）ＰＲＳ及びカラオケハウス管理サーバ（パーソナルコンピュータから構成される）ＨＭＳが設けられ、プリンタサーバＰＲＳにはプリンタＰＲが接続され、プリンタサーバＰＲＳの制御に基づいて、プリンタＰＲは印刷用紙等の印刷媒体に対し印刷を行う。
【００２７】
複数の画像保管装置ＩＭＳ並びにプリンタサーバＰＲＳ及びカラオケハウス管理サーバＨＭＳは、同軸ケーブル、光ファイバケーブル等のケーブルＣＡを通じて、互いに接続されている。そして、カラオケハウス管理サーバＨＭＳは、プリンタサーバＰＲＳ及び複数の画像保管装置ＩＭＳを制御すると共に、カラオケ事務を管理する。
【００２８】
各画像保管装置ＩＭＳでは、その画像データの画像を、その表示手段に表示させることによって、利用者による画像データの確認及び選別を行うことができる。各画像保管装置ＩＭＳよりの所望の画像データＩＭ、その所望の画像データＩＭの画像の所望の印刷枚数（利用者によって指定される）ＰＮ及び各画像保管装置ＩＭＳが設けられているカラオケルームＫＲの部屋番号ＲＮは、ケーブルＣＡを通じてプリンタサーバＰＲＳに伝送される。
【００２９】
プリンタサーバＰＲＳは、各画像保管装置ＩＭＳより伝送される所望の画像データ及びその所望の画像データの画像の所望の印刷枚数を部屋番号（カラオケルームＫＲの番号）毎に管理し、所望の画像データの画像をプリンタＰＲによって所望の印刷枚数だけ印刷させると共に、それぞれの印刷用紙等の印刷媒体の裏面に、部屋情報としての部屋番号及び撮影年月日を印刷させる。その後、プリンタサーバＰＲＳは、部屋番号ＲＮ及び所望の印刷枚数ＰＮをカラオケハウス管理サーバＨＭＳに伝送する。
【００３０】
カラオケハウス管理サーバＨＭＳは、各カラオケ装置ＫＲＳを使用するために必要な遠隔制御器ＲＣ及びデジタルカメラＤＣの利用者への貸し出しを管理すると共に、カラオケ装置ＫＲＳの使用料金、画像の印刷料金、消費税等を計算する。
【００３１】
カラオケ利用者のチェックイン時に、カラオケルームＫＲの部屋番号（識別子）、利用者の代表者の氏名、貸し出す遠隔制御器ＲＣの番号（識別子）、貸し出すデジタルカメラＤＣの番号（識別子）、カラオケルーム（部屋）ＫＲの使用開始時刻等が、ハウス管理サーバＨＭＳのハードディスク、光ディスク、半導体メモリ等の記憶手段に登録される。
【００３２】
次に、図２を参照して、カラオケプリントシステムの構成及び動作を説明する。先ず、ステップＳ１０では、デジタルカメラＤＣで、撮影が行われたか否かが判別され、判別結果がＮＯのときは、ステップＳ１０に戻って待機状態となり、ＹＥＳのときは、ステップＳ１２に移行する。通常は、デジタルカメラＤＣによって、歌唱を行っている人が撮影されるが、カラオケルームＫＲ内の人物や事物を撮影する場合もある。デジタルカメラＤＣの撮影に基づく単写、連写又は動画の画像データは、メモリカード等の内蔵する記憶手段に記憶される。
【００３３】
ステップＳ１２では、メモリカードから読み出された画像データ、又は、メモリカードに記憶する前の画像データによって電波、赤外線等を変調し、その変調された電波、赤外線等をデジタルカメラＤＣの無線通信手段から、画像保管装置ＩＭＳの無線通信手段に送信する。
【００３４】
ステップＳ１４では、画像保管装置ＩＭＳが、デジタルカメラＤＣの無線通信手段から送信された、画像データによって変調された電波、赤外線等を、その無線通信手段によって、受信したか否かを判別する。ステップＳ１４の判別結果がＹＥＳのときは、ステップＳ２４に移行して、画像データによって変調された電波、赤外線等から復調された画像データを、画像保管手段に保管する。ステップＳ２４の次は、ステップＳ２６に移行して、画像保管装置ＩＭＳがハウス管理サーバＨＭＳからの画像消去指令を受信したか否かを判別する。ステップＳ２６の判別結果がＮＯのときは、ステップＳ１４に戻る。後述するステップＳ４０に示すように、ハウス管理サーバＨＭＳが画像消去指令を送信したときは、ステップＳ２６の判別結果はＹＥＳとなり、ステップＳ２８に移行する。ステップＳ２８では、画像保管手段に保管されている画像データの全てを消去した後、ステップＳ１４に戻る。
【００３５】
ステップＳ１４の判別結果がＮＯのときは、ステップＳ１６に移行して、画像保管装置ＩＭＳが、保管手段に保管されている画像データの画像の印刷を、利用者が行うか否の判別を行い、その判別結果がＮＯときは、ステップＳ１４に戻る。ステップＳ１６の判別結果がＹＥＳのときは、ステップＳ１８に移行する。ステップＳ１８では、画像保管装置ＩＭＳが、保管手段に保管されている画像データの画像を、利用者が選択した否かを判別し、その判別結果がＮＯのときは、ステップＳ１４に戻り、その判別結果がＹＥＳのときは、ステップＳ２０に移行する。
【００３６】
ステップＳ２０では、画像保管装置ＩＭＳが、選択された画像データの画像の印刷枚数はＯＫか否か、即ち、選択された画像データの画像の印刷枚数が入力されたか否かを判別する。ステップＳ２０の判別結果がＮＯのときは、ステップＳ１４に戻り、判別結果がＹＥＳのときは、ステップＳ２２に移行する。ステップＳ２２では、画像保管装置ＩＭＳが、画像データＩＭ、印刷枚数ＰＮ、印刷用紙等の印刷媒体の大きさ、カラー印刷及びモノクローム印刷の別及びカラオケルームＫＲの部屋番号（部屋識別子）を、ケーブルＣＡを通じて、プリンタサーバＰＲＳに送信した後、ステップＳ１４に戻る。
【００３７】
ステップＳ３０では、プリンタサーバＰＲＳが、画像保管装置ＩＭＳから、ケーブルＣＡを通じて送信された画像データ（印刷枚数、部屋番号を含む）を受信したか否かを判別する。ステップＳ３０の判別結果がＮＯのときは、ステップＳ３０に戻って、待機状態となり、ステップＳ２２で、画像保管装置ＩＭＳが、画像データＩＭ、印刷枚数ＰＮ、印刷用紙等の印刷媒体の大きさ、カラー印刷及びモノクローム印刷の別及びカラオケルームＫＲの部屋番号（部屋識別子）を、プリンタサーバＰＲＳに送信したのであれば、判別結果はＹＥＳとなり、ステップＳ３２に移行する。
【００３８】
ステップＳ３２では、プリンタサーバＰＲＳが、プリンタＰＲに対し、印刷指示を行う。かくすると、プリンタＰＲは、プリンタサーバＰＲＳが受信した画像データの画像を指定枚数ずつそれぞれ印刷用紙等の印刷媒体の表面に印刷すると共に、その印刷媒体の裏面にカラオケルームＫＲの部屋情報としての部屋番号及び撮影年月日を印刷する。ステップＳ３２の次は、ステップＳ３４に移行して、プリンタサーバＰＲＳが、プリンタＰＲによる印刷が終了したか否かを判別し、その判別結果がＮＯのときは、ステップＳ３０に戻り、その判別結果がＹＥＳのときは、ステップＳ３６に移行する。
【００３９】
ステップＳ３６では、プリンタサーバＰＲＳが、印刷実績（印刷枚数、印刷媒体の大きさ、カラー印刷かモノクローム印刷かの別、カラオケルームＫＲの部屋番号）を、ケーブルＣＡを通じて、ハウス管理サーバＨＭＳに送信する。
【００４０】
ステップＳ３８では、ハウス管理サーバＨＭＳが、スタッフによる部屋番号入力及びチェックアウト入力があったか否かを判別する。ステップＳ３８の判別結果がＮＯのときは、ステップＳ３８に戻って待機状態となる。スタッフルームＳＲのスタッフによって、遠隔制御器ＲＣ、デジタルカメラＤＣ等の貸し出し機器の返却が確認された後、カラオケハウス管理サーバＨＭＳに、部屋番号及びチェックアウトを入力したときは、ステップＳ３８の判別結果は、ＹＥＳとなる。ステップＳ３８の次は、ステップＳ４０に移行する。ステップＳ４０では、ハウス管理サーバＨＭＳが、画像消去指令をケーブルＣＡを通じて、画像保管装置ＩＭＳに送信する。
【００４１】
ステップＳ４０の次は、ステップＳ４２に移行して、ハウス管理サーバＨＭＳが、プリンタサーバＰＲＳから、ケーブルＣＡを通じて送信された印刷実績（印刷枚数、印刷媒体の大きさ、カラー印刷かモノクローム印刷かの別、カラオケルームＫＲの部屋番号）を受信したか否かを判別し、ＮＯのときは、ステップＳ４６に移行し、ＹＥＳのときは、ステップＳ４４に移行する。ステップＳ４４では、ハウス管理サーバＨＭＳが、印刷実績（印刷枚数、印刷媒体の大きさ、カラー印刷かモノクローム印刷かの別、カラオケルームＫＲの部屋番号）に応じて、その部屋番号のカラオケルームＫＲにおける印刷料金を算出する。
【００４２】
ステップＳ４４の次は、ステップＳ４６に移行して、ハウス管理サーバＨＭＳが、カラオケルーム使用料（基本使用料、時間使用料、デジタルカメラの貸し出し料等）を算出する。ステップＳ４６の次は、ステップＳ４８に移行して、ハウス管理サーバＨＭＳが、ステップＳ４４で算出された印刷料金及びステップＳ４６で算出されたカラオケルーム使用料の合計に、消費税を加算した合計金額が印刷された伝票を発行する。ステップＳ４８の次は、ステップＳ５０に移行する。ステップＳ５０では、ハウス管理サーバＨＭＳが、清算が完了か否かを判別し、その判別結果がＮＯのときは、ステップＳ５０に戻って待機状態になり、スタッフが清算完了をハウス管理サーバＨＭＳに入力すると、判別結果がＹＥＳとなって、ステップＳ３８に戻る。
【００４３】
【発明の効果】
本発明によれば、カラオケ装置を備えたカラオケルーム毎に準備され、そのカラオケルーム内で撮影した画像を無線で送信する無線通信手段を有するデジタルカメラと、各カラオケルーム内に配設された端末機であって、デジタルカメラと無線通信して画像を受信する無線通信手段を有する端末機と、各カラオケルーム内の端末機と接続され、その各端末機から受信した画像の印刷をプリント手段に実行させるプリントサーバと、から構成されてなるので、高画質の撮影・印刷画像を得ることができ、カメラの機動性が向上し、カメラの画角の制限を無くし、印刷しようとする画像の確認及び選別を可能としたカラオケプリントシステムを得ることができる。
【００４４】
上述の本発明のカラオケプリントシステムにおいて、デジタルカメラは、カラオケルームの使用に先立ってその各カラオケルーム内のカラオケ装置を操作するための遠隔制御器と共に利用者に貸し出され、チェックアウト時に遠隔制御器と共に返却されるので、遠隔制御器及びデジタルカメラの管理が確実となる。
【００４５】
上述の本発明のカラオケプリントシステムにおいて、端末機は、デジタルカメラから受信した画像を保管する画像保管手段と、その画像保管手段に保管された画像を表示する画像表示手段と、その画像表示手段に表示された画像のうちから所望の画像の選択及び印刷枚数を指示する指示手段とを有するので、保管されている画像のうち印刷すべき画像の選択が容易であると共に、その画像の印刷枚数を任意に指示することができる。
【００４６】
上述の本発明のカラオケプリントシステムにおいて、端末機は、デジタルカメラから受信した画像を保管する画像保管手段と、その画像保管手段に保管された画像を表示する画像表示手段とを有し、カラオケルーム内のカラオケ装置を操作するための遠隔制御器は、画像表示手段に表示された画像のうちから所望の画像の選択及び印刷枚数を指示する指示手段として兼用されるので、保管されている画像のうち印刷すべき画像の選択が容易であると共に、その画像の印刷枚数を任意に指示することができ、しかも、カラオケ装置を操作するための遠隔制御器を用いて、これらの操作を行うので、その操作が簡単となる。
【００４７】
上述の本発明のカラオケプリントシステムにおいて、各端末機は、印刷依頼時に画像と共にカラオケルームの部屋情報及び印刷枚数を送信し、プリントサーバは、プリント手段に、受信した画像を印刷させると共に、その画像の印刷された印刷媒体の裏側に、カラオケルームの部屋情報及び撮影年月日を印刷させるので、画像の印刷された印刷媒体の部屋別及び撮影年月日毎の分類が容易になる。
【００４８】
上述の本発明のカラオケプリントシステムにおいて、各端末機と接続され、チェックアウト確認入力に基づき対応するカラオケルーム内の端末機の画像保管手段に保管された画像を消去する管理サーバを設けるので、端末機に保管された画像の第３者による閲覧、利用を阻止することができ、プライバシーの保護が確実になる。
【００４９】
上述の本発明のカラオケプリントシステムにおいて、管理サーバは、プリントサーバと接続され、チェックアウト確認入力に基づきプリントサーバから送信された印刷実績に基づいてプリント料金を計算することができるので、利用者に対するプリント料金の請求が確実且つ容易となる。
【００５０】
上述の本発明のカラオケプリントシステムにおいて、カラオケルーム毎のデジタルカメラと端末機とは相互に識別情報を有し、その識別情報が一致する機器同士のみで無線通信を行うようにしたので、各カラオケルームが電磁的に又は赤外線的にシールドされていなくても、カメラからの画像が他のカラオケルームの端末機に無線送信されるおそれはない。
【図面の簡単な説明】
【図１】本発明の実施の形態のカラオケプリントシステムの例の概要を示すブロック図である。
【図２】本発明の実施の形態のカラオケプリントシステムの例の構成及び動作を示すフローチャートである。
【符号の説明】
ＫＲ…カラオケルーム、ＫＲＳ…カラオケ装置、ＲＣ…遠隔制御器、ＤＣ…デジタルカメラ、ＩＭＳ…画像保管装置、ＰＲＳ…プリンタサーバ、ＰＲ…プリンタ、ＨＭＳ…カラオケハウス管理サーバ、ＣＡ…ケーブル
【図１】
2004184668.tif 000003
【図２】
2004184668.tif 000004